(57)【要約】【課題】シャンクを保持する一対の環状保持部の開きを防止すると共に、切換ボタンがシャンクから容易に外れないようにするためのラチェットレンチを提供するものである。【解決手段】第一環状保持部２０ａの外側に第一ガイドブッシュ９２ａを接触させて、止め輪９６をシャンク７０の基部３４に固定させて第一環状保持部２０ａと止め輪９６とで第一ガイドブッシュ９２ａを保持する。第二環状保持部２０ｂの外側に第二ガイドブッシュ９２ｂを接触させて、ピン８８をシャンク７０の基部３４の筒状部７２に対して軸方向に移動しない切換ボタン７８に固定させ、第二環状保持部２０ｂとピン８８とで第二ガイドブッシュ９２ｂを保持する。シャンク７０に対して固定状態にある止め輪９６とピン８８とによって第一環状保持部２０ａと第二環状保持部２０ｂとを挟持するので、皿ばね６２によって、第一環状保持部２０ａと第二環状保持部２０ｂを開く力が働いても、止め輪９６とピン８８とによって第一環状保持部２０ａと第二環状保持部２０ｂの開きを阻止できる。【選択図】      図３
2004148451.tif 000002
【特許請求の範囲】
【請求項１】
第一環状保持部と第二環状保持部とを間隔を開けて設けたハウジングと、前記第一環状保持部と第二環状保持部の間に備えるものであって基部と係合部から成るシャンクと、そのシャンクの基部に回転可能に取付けられるものであってシャンクの回転方向を切換えるための切換ボタンと、前記シャンクに摩擦を与えるためのスプリングとを有するラチェットレンチにおいて、前記第一環状保持部の外側に第一ガイド部材を備え、前記基部に第一保持手段を固定してその第一保持手段と前記第一環状保持部とで前記第一ガイド部材を保持し、前記第二環状保持部の外側に第二ガイド部材を備え、前記切換ボタンに第二保持手段を固定してその第二保持手段と前記第二環状保持部とで前記第二ガイド部材を保持し、前記切換ボタンが前記シャンクに対して軸方向に移動しないようにすることを特徴とするラチェットレンチ。
【請求項２】
前記基部と一体に形成されるものであってその内部に前記切換ボタンを回転自在に嵌合する筒状部を前記第二ガイド部材の穴に挿通させ、前記切換ボタンに固定する前記第二保持手段をピンとし、前記筒状部の円周方向の２箇所の対向する位置に溝を形成し、前記切換ボタンンにおける前記筒状部と嵌合する位置に貫通穴を形成し、前記切換ボタンの貫通穴と前記筒状部の溝とに前記ピンを通過させた状態で前記ピンと前記切換ボタンとを固定することを特徴とする請求項１記載のラチェットレンチ。
【請求項３】
前記第一環状保持部の外側面に前記第一ガイドブッシュを嵌合させる凹部を形成し、前記第二環状保持部の外側面に前記第二ガイドブッシュを嵌合させる凹部を形成したことを特徴とする請求項１記載のラチェットレンチ。
【発明の詳細な説明】
【０００１】
【発明の属する技術分野】
本発明は、自動車や産業機械等の組立や分解の際にボルトやナットを締め付けたり緩めたりする作業に用いるラチェットレンチに関するものである。
【０００２】
【従来の技術】
従来から、ボルトやナット等を確実かつ迅速に締付けたり外したりするために、電動または手動のラチェットレンチが用いられている。従来既知のラチェットレンチは特許文献１や特許文献２等に示されており、その要部構造を図４乃至図７に基づいて説明する。ハウジング１０内には、図示しないモータによって回転運動並びに往復摺動運動させられるクランクシャフト１２（図４並びに図５）が備えられる。そのクランクシャフト１２の先端には、その軸中心より偏心してその軸中心と並行な芯１４が一体に形成される。その芯１４には挿通穴１６を有するブッシュ１８が芯１４に対して相対的に移動自在な状態で嵌合される。
【０００３】
図６に示すように、ハウジング１０の先端には第一環状保持部２０ａと第二環状保持部２０ｂとから成る一対の環状保持部が一体に形成され、その一対の環状保持部２０ａ，２０ｂの間に、図５に示す揺動体２２が備えられる。この揺動体２２の中央には穴２４が形成され、その穴２４の内壁には内歯歯車２６が形成されている。揺動体２２はその先端に一対の腕部２８を有し、その一対の腕部２８の間に空間部３０が形成される。その空間部３０内に前記ブッシュ１８が回転自在でしかも一対の腕部２８から外れないように嵌合される。
【０００４】
一対の環状保持部２０ａ，２０ｂの間に取付けた揺動体２２の中央の穴２４に、図７に示すシャンク３２が装着される。シャンク３２はボルト等を間欠的に回転させるためのもので、円柱を基本としてそこに穴や凹部を形成した基部３４と、その基部３４と一体に形成される立方体状の係合部３６とを有する。このシャンク３２の円柱を基本とする基部３４の円周箇所が揺動体２２の中央の穴２４に挿入される。前記クランクシャフト１２が回転すると、揺動体２２は一対の環状保持部２０ａ，２０ｂの間に保持された状態で、揺動体２２の穴２４の中心軸を中心に回転する。
【０００５】
図７に示すように、シャンク３２は、基部３４の内部に軸３８を中心に揺動自在な２個の翼部材４０を備えている。各翼部材４０の左右両端にはそれぞれ複数個の爪４２が形成されている。円柱状の基部３４の軸中心において係合部３６と反対側の位置に穴４４が形成され、この穴４４の開口部の周囲に円弧状の溝４６が形成される。この穴４４に、ノブ４８を一体に形成した円柱状の切換ボタン５０を、挿入嵌合させる（図４）。切換ボタン５０においては、図４に示すようにノブ４８に近い位置にピン５２が固定されており、このピン５２は穴４４の開口部の円弧状の溝４６に収容される。これによって、ノブ４８を回すと、溝４６の円弧角度の範囲で切換ボタン５０がシャンク３２に対して回転できる。図４に示すように、切換ボタン５０の内部にはピン５４とそれを付勢するスプリング５６とを備えており、ピン５４の先端はスプリング５６によって常に翼部材４０の裏側を押圧している。ノブ４８を回すことによって、翼部材４０の左右両先端のうちの外部に突出する先端側を変更させる。これによって、シャンク３２の回転方向が切り換える。
【０００６】
図４に示すように、シャンク３２の基部３４の上部は、一方の環状保持部２０ａの中央の空間から他方の環状保持部２０ｂに向けて挿入し、他方の環状保持部２０ｂの内側に設けた段部５８と当接係合する。シャンク３２の基部３４の挿入方向後ろ側（図４で下側）には、座金６０とスプリングとしての皿ばね６２とガイドブッシュ６４と保持手段としての止め輪６６とが下側に向けて順に設け、その止め輪６６を環状保持部２０ａに固定する。この結果、環状保持部２０ｂと当接係合するシャンク３２と保持手段６６と固定関係にある環状保持部２０ａとの間に、座金６０と皿ばね６２とガイドブッシュ６４とが挟持される。
【０００７】
皿ばね６２は、シャンク３２に摩擦を与える目的と、一対の環状保持部２０ａ，２０ｂの間で、シャンク３２にガタが発生しないようにするために備えられる。この皿ばね６２は、その両側に接触するものをそれぞれ離れる方向に付勢するので、皿ばね６２のばね力によって座金６０を介してシャンク３２を上方に付勢する（図４）。これによって、シャンク３２の基部３４は環状保持部２０ｂに接触し、シャンク３２は図４において上下に移動することがない。即ち、一対の環状保持部２０ａ，２０ｂの間でシャンク３２がガタつくことがない。
【０００８】
【特許文献１】
特開２００１−３０１７９号公報（第２−３頁、図１４−１６）
【特許文献２】
米国特許第５，５３８０９９（第４−５欄、Ｆｉｇ．３−４）
【０００９】
【発明が解決しようとする課題】
皿ばね６２は、その両側に接触するものをそれぞれ離れる方向に付勢するものである。即ち、皿ばね６２によって一方は、座金６０とシャンク３２とを介して環状保持部２０ｂを図４で上方側に付勢する。皿ばね６２によって他方は、ガイドブッシュ６４と保持手段６６とを介して、環状保持部２０ａを図４で下方側に付勢する。このように、一対の環状保持部２０ａ，２０ｂは皿ばね６２によって互いに離れる方向に付勢されるので、長期間の使用により一対の環状保持部２０ａ，２０ｂの間が開き、皿ばね６２のばね力が及ばなくなる。この結果、一対の環状保持部２０ａ，２０ｂの間でシャンク３２がガタついて、シャンク３２に及ぼすフリクションが低下し、ボルト等の締め付けや緩め作業が安定的に行えなくなるという不具合が発生する。
【００１０】
切換ボタン５０を基部３４の穴４４に挿入した状態では、図４において例えば上方のピン５４は基部３４の段部６８に引っ掛かかるようにすることで、切換ボタン５０は基部３４の穴４４から抜けないようにしている。しかし、切換ボタン５０に対して引抜き方向に力を加えると、切換ボタン５０がシャンク３２から簡単に外れるものであった。切換ボタン５０がシャンク３２から簡単に外れないようにするためには、外れ防止手段を設ける必要があった。
【００１１】
本発明は、シャンクを保持する一対の環状保持部の開きを防止すると共に、切換ボタンがシャンクから簡単に外れないようにするためのラチェットレンチを提供することを目的とするものである。
【００１２】
【課題を解決するための手段】
本発明は、第一環状保持部と第二環状保持部とを間隔を開けて設けたハウジングと、前記第一環状保持部と第二環状保持部の間に備えるものであって基部と係合部から成るシャンクと、そのシャンクの基部に回転可能に取付けられるものであってシャンクの回転方向を切換えるための切換ボタンと、前記シャンクに摩擦を与えるためのスプリングとを有するラチェットレンチにおいて、前記第一環状保持部の外側に第一ガイド部材を備え、前記基部に第一保持手段を固定してその第一保持手段と前記第一環状保持部とで前記第一ガイド部材を保持し、前記第二環状保持部の外側に第二ガイド部材を備え、前記切換ボタンに第二保持手段を固定してその第二保持手段と前記第二環状保持部とで前記第二ガイド部材を保持し、前記切換ボタンが前記シャンクに対して軸方向に移動しないようにするものである。
本発明は更に、前記基部と一体に形成されるものであってその内部に前記切換ボタンを回転自在に嵌合する筒状部を前記第二ガイド部材の穴に挿通させ、前記切換ボタンに固定する前記第二保持手段をピンとし、前記筒状部の円周方向の２箇所の対向する位置に溝を形成し、前記切換ボタンンにおける前記筒状部と嵌合する位置に貫通穴を形成し、前記切換ボタンの貫通穴と前記筒状部の溝とに前記ピンを通過させた状態で前記ピンと前記切換ボタンとを固定するようにしたものである。
【００１３】
【作用】
第一環状保持部の外側に中央に穴を設けたガイドブッシュを備え、第二環状保持部の外側に中央に穴を設けたガイドブッシュを備える。第一ガイドブッシュの穴にシャンクの基部を挿通させ、第一ガイドブッシュを第一環状保持部に保持するために第一ガイドブッシュの外側からシャンクの基部に第一保持手段である止め輪を固定する。第二ガイドブッシュの穴に切換ボタン挿通させ、第二ガイドブッシュを第二環状保持部に保持するために第二ガイドブッシュの外側から切換ボタンに第二保持手段であるピンを固定する。切換ボタンはシャンクの基部とは軸方向に移動しないようにする。この結果、シャンクの基部に固定される止め輪と切換ボタンに固定されるピンとの間の距離が一定になり、この一定距離の止め輪とピンとの間に一対の環状保持部と一対のガイドブッシュとが挟持される。これによって、皿ばねによって一対の環状保持部を開く方向に力が働いても、一定距離でシャンクに固定された止め輪とピンとで一対の環状保持部の開きを阻止することができる。
更に、ピンは切換ボタンに固定されると共に、基部（筒状部）に形成した溝を通過している。これによって、切換ボタンは筒状部に対して回転可能であるが、筒状部に対する軸方向への移動は確実に阻止され、切換ボタンがシャンクから外れるのを防止できる。
【００１４】
【発明の実施の形態】
次に、本発明を図に基づいて説明する。
図１は本発明に係るラチェットレンチの要部分解斜視図、図２は図１の組立状態を示す斜視図、図３は本発明に係るラチェットレンチの要部断面図である。図１乃至図３において、図４乃至図７と同一符号は同一部材を示す。本発明に用いるシャンク７０は、図７に示したシャンク３２の基部３４の上面に上方に伸びる筒状部７２を一体に形成したものである。即ち、筒状部７２は基部３４の一部である。筒状部７２の内部空間７４は図７に示す穴４４と同軸上で、しかも筒状部７２の内径は図７に示す穴４４の内径と同一に設定する。筒状部７２の上端付近の円周方向には、２箇所の対向する位置に円弧状の溝７６を形成する。
【００１５】
本発明に用いる切換ボタン７８は、筒状部７２の内部空間７４に嵌合する円柱状の主体部８０と、その主体部８０より直径の大きな円盤状の鍔部８２と、その鍔部８２の面に対して垂直方向に外側に突出するノブ８４とを一体に形成したものである。主体部８０には鍔部８２に近い位置に円柱状の直径方向に貫通する貫通穴８６を形成する。切換ボタン７８の主体部８０を筒状部７２の内部空間７４に装着させた状態においては、切換ボタン７８は筒状部７２に対して自由に回転できるように設定されている。また、切換ボタン７８を筒状部７２に対して回転させると、切換ボタン７８の主体部８０の貫通穴８６が筒状部７２の溝７６と合致するよう、貫通穴８６の位置と溝７６の位置とを設定する。
【００１６】
図１の状態から、筒状部７２の一方の溝７６と切換ボタン７８の貫通穴８６と筒状部７２の他方の溝７６とに保持手段（第二保持手段）としてのピン８８を通し、図２の状態にする。切換ボタン７８の貫通穴８６を通すピン８８は、打ち込み等の手段よって切換ボタン７８に固定する。貫通穴８６を通すピン８８と切換ボタン７８との固定方法は、この打ち込みに限るものではない。また、貫通穴８６を通すピン８８と切換ボタン７８との固定方法は、その後固定を解除できるものであっても良い。ピン８８の長さは筒状部７２の直径より充分大きいものとし、ピン８８の両端を筒状部７２の溝７６を通って外部まで延長させた状態で、ピン８８と切換ボタン７８とを固定する。この状態では、ピン８８が筒状部７２の溝７６に沿って移動できる所定の範囲で切換ボタン７８を回転させることができる。ピン８８が溝７６の一方の端から他方の端に移動させることで、シャンク３２の回転方向を変更させる。
【００１７】
図３に示すように、第一環状保持部２０ａの外側面には、第一ガイド部材としての第一ガイドブッシュ９２ａを嵌合させるための嵌合手段である凹部９０ａを形成する。第二環状保持部２０ｂの外側面には、第二ガイド部材としての第二ガイドブッシュ９２ｂを嵌合させるための嵌合手段である凹部９０ｂを形成する。第一ガイドブッシュ９２ａは中央に穴９４ａを形成した厚みのある円盤状のものであり、第二ガイドブッシュ９２ｂは中央に穴９４ｂを形成した厚みのある円盤状のものであるが、第一ガイドブッシュ９２ａや第二ガイドブッシュ９２ｂの形状はこれに限定されるものではない。
【００１８】
本発明においてハウジング１０にシャンク７０を取付ける場合には、図３におけるハウジング１０だけの状態から、第一環状保持部２０ａの中央の空間を通して第二環状保持部２０ｂ側に向けて、筒状部７２を先頭にしてシャンク７０を挿入する。それによって、シャンク７０の挿入先端側の基部３４が第二環状保持部２０ｂの内側に形成した段部５８に当接する。基部３４が環状保持部２０ｂの段部５８に当接した状態では、シャンク７０の筒状部７２は第二環状保持部２０ｂの中央空間を通り抜けて、第二環状保持部２０ｂの外側に突出する。この状態で、シャンク７０の筒状部７２に切換ボタン７８の主体部８０を嵌合させる。
【００１９】
次に、筒状部７２の外側から第二ガイドブッシュ９２ｂを被せ、その第二ガイドブッシュ９２ｂを第二環状保持部２０ｂの凹部９０ｂに嵌合させる。その後、ピン８８をシャンク７０の筒状部７２の溝７６から切換ボタン７８の貫通穴８６に通し、ピン８８の両端を筒状部７２より外方に突出させ、ピン８８と切換ボタン７８とを固定する。ピン８８の両端は第二環状保持部２０ｂには至らないようにして、ピン８８と環状保持部２０ｂとの接触による互いの損傷の発生を防ぐ。筒状部７２の溝７６を通してピン８８を切換ボタン７８に固定することによって、切換ボタン７８は筒状部７２に対して溝７６の角度の範囲で回転するが、切換ボタン７８は筒状部７２の軸方向には動かない。即ち、切換ボタン７８はシャンク７０の筒状部７２に対して軸方向には固定状態となる。
【００２０】
その後、座金６０と皿ばね６２と第一ガイドブッシュ９２ａとをシャンク７０の係合部３６側から嵌合させる。ガイドブッシュ９２ｂを第二環状保持部２０ｂの第二凹部９０ｂの底面に接触させるように図３でガイドブッシュ９２ｂを下方に押した状態を保ち、座金６０と皿ばね６２とを第一ガイドブッシュ９２ａによってシャンク７０の基部３４側に押し、第一保持手段としての止め輪９６をシャンク７０の基部３４（係合部３６に近い位置）に固定する。止め輪９６をシャンク７０の基部３４に固定した状態では、第一ガイドブッシュ９２ａは第一環状保持部２０ａの凹部９０ａの底面に嵌合接触するように設定する。この止め輪９６は、第一ガイドブッシュ９２ａがシャンク７０の基部３４から外れることを防止するためのものである。
【００２１】
前述したように、切換ボタン７８は、シャンク７０の筒状部７２の軸方向においては筒状部７２に固定された状態とみなされる。一方、第一保持手段としての止め輪９６はシャンク７０に直接固定されている。このことから、止め輪９６とピン８８との両者がシャンク７０に固定されているとみなすことができ、止め輪９６とピン８８と間の距離はシャンク７０を介して一定に保たれる。シャンク７０に固定されている止め輪９６とピン８８との間に、第一環状保持部２０と第二環状保持部２０ｂ並びにその外側の第一ガイドブッシュ９２ａと第二ガイドブッシュ９２ｂとが挟まれる。止め輪９６もピン８８もシャンク７０に固定されているので、皿ばね６２によって第一環状保持部２０ａと第二環状保持部２０ｂとに互いに外側に開く方向に力が加えられるとしても、シャンク７０に固定される止め輪９６とピン８８とが一定の距離を保つので、第一環状保持部２０ａと第二環状保持部２０ｂとが開くことを阻止することができる。
【００２２】
図３の状態では、第一ガイドブッシュ９２ａが第一環状保持部２０ａの第一凹部９０ａの底面に嵌合接触しているため、ガイドブッシュ９２ａとシャンク７０（止め輪９６がガイドブッシュ９２ａと接触）は、図３で上方に移動することはない。また、第二ガイドブッシュ９２ｂは第二環状保持部２０ｂの第二凹部９０ｂの底面に接触しているため、ガイドブッシュ９２ｂとシャンク７０の筒状部７２（ピン８８がガイドブッシュ９２ｂと接触）は、図３で下方に移動することはない。このように、止め輪９６をシャンク７０の基部３４に固定擦ると共に、ピン８８を切換ボタン７８に固定することで、第一ガイドブッシュ９２ａと第二ガイドブッシュ９２ｂとは相反する方向に移動しないので、第一ガイドブッシュ９２ａと第二ガイドブッシュ９２ｂは第一環状保持部２０ａと第二環状保持部２０ｂとに離れることなく強固に接触する。
【００２３】
本発明では、切換ボタン７８とピン８８を固定する際に、ピン８８をシャンク７０の筒状部７２の溝７６を貫通させる。これによって、切換ボタン７８はシャンク７０の筒状部７２の軸方向へ移動することがないので、従来発生していた切換ボタン７８の抜けを防止することができる。
【００２４】
【発明の効果】
以上のように、本発明のラチェットレンチによれば、スプリングによる一対の環状保持部の外部への開きを防止することができるので、シャンクへのフリクションの低下を避けることができ、締め付けや緩め作業を安定して行うことができる。また、一対の環状保持部の外部への開きを防止するために切換ボタンに固定するピンが、シャンクとピンとの軸方向の相対的移動を防止するので、切換ボタンのシャンクからの抜けも同時に阻止することができる。
【図面の簡単な説明】
【図１】本発明に係るラチェットレンチの要部分解斜視図である。
【図２】図１のものを組み立てた状態を示す斜視図である。
【図３】本発明に係るラチェットレンチの要部断面図である。
【図４】従来のラチェットレンチの要部断面図である。
【図５】従来の揺動体を示す斜視図である。
【図６】従来のラチェットレンチにソケットを取付けた状態を示す斜視図である。
【図７】従来のシャンクを示す斜視図である。
【符号の説明】
１０  ハウジング
２０ａ  環状保持部
２０ｂ  環状保持部
３４  基部
３６  係合部
６２  皿ばね
７０  シャンク
７２  筒状部
７６  溝
７８  切換ボタン
８６  貫通穴
８８  ピン
９２ａ  ガイドブッシュ
９２ｂ  ガイドブッシュ
９４  止め輪
【図１】
2004148451.tif 000003
【図２】
2004148451.tif 000004
【図３】
2004148451.tif 000005
【図４】
2004148451.tif 000006
【図５】
2004148451.tif 000007
【図６】
2004148451.tif 000008
【図７】
2004148451.tif 000009